(57)【特許請求の範囲】
【請求項１】
シート状の記録媒体を収納するカセットベースと、
該カセットベースに回動可能に支持され、前記カセットベースの上面を覆う閉鎖位置と、前記カセットベースの上面を開放する開放位置とに選択配置されるカバー部材と、
を備えたシート収納カセットにおいて、
前記カバー部材は
前記カバー部材または前記カセットベースのいずれか一方に形成された第１係合穴と、他方に形成され前記第１係合穴に係合する第１ボス部と、で構成される第１回動支点と、
前記カバー部材または前記カセットベースのいずれか一方に形成された第２係合穴と、他方に形成され前記第２係合穴に係合する第２ボス部と、で構成される第２回動支点と、
を中心として前記カセットベースに対し回動可能に支持されており、
前記第２ボス部の先端部から前記第２係合穴の係合位置までの距離は前記第１ボス部の先端部から前記第１係合穴の係合位置までの距離に比べて小さく、前記開放位置における前記カバー部材の開放角度を規制する回動規制部を、前記第１回動支点側にのみ設けたことを特徴とするシート収納カセット。
【請求項２】
前記第１係合穴及び前記第２係合穴は、前記カバー部材の回動支点側に突設された一対の支持アームに形成され、前記カセットベースの側面部の両端には、前記各支持アームが挿入される一対のアーム挿入溝が形成され、前記第１ボス部及び前記第２ボス部は、前記アーム挿入溝の内側に突出し、前記第１ボス部及び前記第２ボス部の先端部と前記アーム挿入溝の内壁面との間には所定の隙間が形成されており、
前記第１支点軸側の前記アーム挿入溝の下端部は、前記第２支点軸側の前記アーム挿入溝の下端部よりも高い位置に形成され、前記カバー部材が前記開放位置に配置されたとき、前記第１回動支点側の前記アーム挿入溝の下端部が前記支持アームに当接して前記回動規制部となり、前記第２回動支点側の前記支持アームと前記アーム挿入溝の下端部との間には隙間が形成されることを特徴とする請求項１に記載のシート収納カセット。
【請求項３】
前記第１ボス部及び前記第２ボス部は、前記各アーム挿入溝の外側面から内向きに突出しており、一対の前記支持アームの間隔は前記第１ボス部と前記第２ボス部との間隔よりも広いことを特徴とする請求項２に記載のシート収納カセット。
【請求項４】
前記第１ボス部の突出量は、前記第２ボス部の突出量よりも大きいことを特徴とする請求項１乃至請求項３のいずれかに記載のシート収納カセット。
【請求項５】
請求項１乃至請求項４のいずれかに記載のシート収納カセットを備えた画像形成装置。
【発明の詳細な説明】
【技術分野】
【０００１】
本発明は、複写機、プリンター、ファクシミリ、それらの複合機等に用いる、用紙等のシート状の記録媒体を収納するシート収納カセット、及びそれを備えた画像形成装置に関するものである。
【背景技術】
【０００２】
装置本体の底部に複数枚のシート（用紙）が収容される給紙カセットが、画像形成装置本体に対して引き出し可能に備えられており、給紙カセットの上方に配設されたピックアップローラー等から構成される分離給送手段によって、給紙カセットに収容された用紙を１枚ずつ順に送り出し、搬送ローラーによって画像形成部及び定着部へと搬送することにより、用紙上に画像を形成するよう構成されている。
【０００３】
給紙カセットには、Ａ系列、Ｂ系列、インチ系列等のシートのサイズに応じてシートを収納するカセットベースを伸縮可能に構成されているものがある。このとき、近年の画像形成装置のコンパクト化の要望により、画像形成装置本体の面積に比べて給紙カセットの面積が大きくなることがある。その場合、給紙カセットの一部が画像形成装置本体から突出するため、突出部分から給紙カセット内に塵埃等の異物が進入するおそれがある。
【０００４】
そこで、例えば特許文献１〜３に示されるように、カセットベースに上面カバーを設けて異物の進入を防止するようにした給紙カセットが考案されている。
【先行技術文献】
【特許文献】
【０００５】
【特許文献１】特開平５−２２９６７６号公報
【特許文献２】特開平５−３１９５８８号公報
【特許文献３】特開２００６−１５１５６１号公報
【発明の概要】
【発明が解決しようとする課題】
【０００６】
カセットベースに上面カバーを回動可能に取り付ける場合、カセットベース側の２箇所の支点に形成されたボス（または係合穴）に上面カバー側の２箇所の支点に形成された係合穴（またはボス）を嵌め込む構成が一般的である。このとき、組み立て性を考慮して一方の回動支点ではボスと係合穴との係合量を大きくし、他方の回動支点ではボスと係合穴との係合量を小さくしておき、係合量の小さい側を撓ませて圧入する。
【０００７】
上記のような構成において、上面カバーの開放角度を規制する回転規制部が回動支点の近傍に設けられていることがある。その場合、上面カバーに開放方向の力が過度に加えられると、回転規制部が梃子の支点となり、梃子の作用点となる上面カバーの回動支点に大きな力が作用する。その結果、係合量の小さい側のボスと係合穴との係合が外れてしまうという問題点があった。
【０００８】
本発明は、上記問題点に鑑み、上面カバーの開放方向に過度の力が加えられても上面カバーが外れるおそれのないシート収納カセット、及びそれを備えた画像形成装置を提供することを目的とする。
【課題を解決するための手段】
【０００９】
上記目的を達成するために本発明の第１の構成は、カセットベースと、カバー部材と、を備えたシート収納カセットである。カセットベースは、シート状の記録媒体を収納する。カバー部材は、カセットベースに回動可能に支持され、カセットベースの上面を覆う閉鎖位置と、カセットベースの上面を開放する開放位置とに選択配置される。カバー部材はカバー部材またはカセットベースのいずれか一方に形成された第１係合穴と、他方に形成され第１係合穴に係合する第１ボス部と、で構成される第１回動支点と、カバー部材またはカセットベースのいずれか一方に形成された第２係合穴と、他方に形成され第２係合穴に係合する第２ボス部と、で構成される第２回動支点と、を中心としてカセットベースに対し回動可能に支持されている。第２ボス部の先端部から第２係合穴の係合位置までの距離は第１ボス部の先端部から第１係合穴の係合位置までの距離に比べて小さく、開放位置におけるカバー部材の開放角度を規制する回動規制部が、第１回動支点側にのみ設けられている。
【発明の効果】
【００１０】
本発明の第１の構成によれば、ボス部の先端部から係合穴の係合位置までの距離が大きい第１ボス部と第１係合穴とが係合する第１回動支点側のみにおいてカバー部材の回動が規制されるため、ボス部の先端部から係合穴の係合位置までの距離が小さい第２ボス部と第２係合穴とが係合する第２回動支点にはカバー部材を回動させようとする力が加わらない。そのため、カバー部材の開閉動作によるカセットベースからのカバー部材の離脱を防止することができる。また、シート収納カセットの組み立て時には、第１ボス部と第１係合穴とを係合させた後、第１ボス部に比べて係合量が小さい第２ボス部と第２係合部とを圧入することで、カバー部材をカセットベースに簡単に装着することができる。
【図面の簡単な説明】
【００１１】
【図１】本発明の一実施形態に係る給紙カセット１０が搭載された画像形成装置１００の内部構造を示す側面断面図
【図２】給紙カセット１０を画像形成装置１００本体から引き出した状態を示す斜視図
【図３】給紙カセット１０を給紙方向上流側から見た斜視図
【図４】給紙カセット１０が装着された画像形成装置１００の外観斜視図
【図５】カセットベース２５の給紙方向上流側の両端部に形成されたアーム挿入溝４１ａ、４１ｂを示す図
【図６】カセットベース２５の一端側（図３の左側）における上面カバー５０の装着手順を示す図であり、上面カバー５０の支持アーム５１ａをカセットベース２５のアーム挿入溝４１ａに挿入する様子を示す図
【図７】図６の状態から支持アーム５１ａの先端に形成された第１係合穴５３ａを第１ボス部４３ａに係合させた状態を示す図
【図８】図７の状態から上面カバー５０を給紙方向上流側から見て左方向にスライドさせた状態を示す図
【図９】カセットベース２５の他端側（図３の右側）における上面カバー５０の装着手順を示す図であり、上面カバー５０の支持アーム５１ｂをカセットベース２５のアーム挿入溝４１ｂに挿入する様子を示す図
【図１０】図９の状態から支持アーム５１ｂの先端に形成された第２係合穴５３ｂを第２ボス部４３ｂに係合させた状態を示す図
【図１１】図３の状態から上面カバー５０を上方向に回動して開放位置に移動させた状態を示す給紙カセット１０の斜視図
【図１２】上面カバー５０を開放位置に配置したときの、第１ボス部４３ａと第１係合穴５３ａとが係合した第１回動支点６０の部分拡大図
【図１３】上面カバー５０を開放位置に配置したときの、第２ボス部４３ｂと第２係合穴５３ｂとが係合した第２回動支点６１の部分拡大図
【図１４】上面カバー５０を開放位置に配置したときの、第１回動支点６０の側面断面図
【図１５】上面カバー５０を開放位置に配置したときの、第２回動支点６１の側面断面図
【発明を実施するための形態】
【００１２】
以下、図面を参照しながら本発明の実施形態について説明する。図１は、本発明の一実施形態に係る給紙カセット１０が搭載された画像形成装置１００の内部構造を示す側面断面図である。画像形成装置（例えばモノクロプリンター）１００内には、帯電、露光、現像及び転写の各工程によりモノクロ画像を形成する画像形成部Ｐが配設されている。画像形成部Ｐには、感光体ドラム５の回転方向（図１の時計回り方向）に沿って、帯電ユニット４、露光ユニット（レーザー走査ユニット等）７、現像ユニット８、転写ローラー１４、クリーニング装置１９、及び除電装置（図示せず）が配設されている。
【００１３】
画像形成動作を行う場合、帯電ユニット４により時計回り方向に回転する感光体ドラム５が一様に帯電され、原稿画像データに基づく露光ユニット７からのレーザービームにより感光体ドラム５上に静電潜像が形成され、現像ユニット８により静電潜像に現像剤（以下、トナーという）が付着されてトナー像が形成される。
【００１４】
この現像ユニット８へのトナーの供給はトナーコンテナ９から行われる。なお、画像データはパーソナルコンピューター（図示せず）等から送信される。また、感光体ドラム５の表面の残留電荷を除去する除電装置（図示せず）がクリーニング装置１９の下流側に設けられている。
【００１５】
上記のようにトナー像が形成された感光体ドラム５に向けて、用紙が給紙カセット１０又は手差し給紙装置１１から用紙搬送路１２及びレジストローラー対１３を経由して搬送され、転写ローラー１４（画像転写部）により感光体ドラム５の表面に形成されたトナー像が用紙に転写される。トナー像が転写された用紙は感光体ドラム５から分離され、定着装置１５に搬送されてトナー像が定着される。定着装置１５を通過した用紙は、用紙搬送路１６により装置上部に搬送され、用紙の片面のみに画像を形成する場合（片面印字時）は、排出ローラー対１７により排出トレイ１８に排出される。
【００１６】
一方、用紙の両面に画像を形成する場合（両面印字時）は、用紙の後端が用紙搬送路１６の湾曲部２０を通過した後に搬送方向を逆転させる。これにより、用紙は湾曲部２０から分岐する反転搬送路２１に振り分けられ、画像面を反転させた状態でレジストローラー対１３に再搬送される。そして、感光体ドラム５上に形成された次のトナー像が、転写ローラー１４によって用紙の画像が形成されていない面に転写される。トナー像が転写された用紙は、定着装置１５に搬送されてトナー像が定着された後、排出ローラー対１７により排出トレイ１８に排出される。
【００１７】
次に、給紙カセット１０の構成について説明する。図２は、給紙カセット１０を画像形成装置１００本体から引き出した状態を示す斜視図であり、図３は、給紙カセット１０を給紙方向上流側から見た斜視図である。なお、図２では上面カバー５０を取り外した状態を示している。
【００１８】
図２において、画像形成装置１００本体に対する給紙カセット１０の挿入方向を矢印Ａ、引き出し方向を矢印Ａ′で示し、給紙カセット１０の給紙方向を矢印Ｂで示す。カセットベース２５は、給紙カセット１０のハウジング（筐体）を構成するものであり、矩形状の底面の四辺に側壁２５ａ〜２５ｄが形成されたトレイ状をなしている。また、カセットベース２５は大サイズ（例えばＡ３サイズ）の用紙を収納するために給紙方向と平行な方向（矢印ＡＡ′方向）に伸縮可能となっている。
【００１９】
図３に示すように、カセットベース２５の後端部には上面カバー５０が開閉可能に装着されている。カセットベース２５が伸長されたとき、カセットベース２５の後端部が画像形成装置１００本体から突出するため（図４参照）、カセットベース２５の突出部分を上面カバー５０で覆うことでカセットベース２５内への異物の進入を防止する。なお、図３では上面カバー５０がカセットベース２５の上面を覆う閉鎖位置に配置されている状態を示している。
【００２０】
給紙カセット１０の挿入方向に対し下流側の側壁２５ａにはカセットカバー３３が装着されている。カセットカバー３３は、その表面側（図２の右奥側）が外部に露出して画像形成装置１００（図１参照）本体の外装面の一部を構成する。
【００２１】
用紙が積載される用紙積載板２８は、給紙方向上流側（図２の左手前側）左右の揺動軸２８ａを支点として、給紙方向下流側（図２の右奥側）の端部がコイルバネ（図示せず）によってカセットベース２５の底面に対し上下に昇降可能に設けられている。また、用紙積載板２８の幅方向両側には、用紙積載板２８に積載される用紙の幅方向の位置決めを行う一対の幅合わせカーソル３７ａ、３７ｂが、カセットベース２５に形成された案内溝に沿ってそれぞれ用紙幅方向（図の矢印Ｂ方向と直交する方向）に往復移動可能に設けられている。
【００２２】
また、用紙搬送路１６（図１参照）に向けて用紙が矢印Ｂ方向に送出されるため、用紙の後端を揃える後端カーソル３１は、カセットベース２５に形成された案内溝に沿って給紙方向（図の矢印Ｂ方向）と平行に往復移動可能に設けられている。この幅合わせカーソル３７ａ、３７ｂ、及び後端カーソル３１を、積載される用紙サイズに合わせて移動させることにより、用紙を給紙カセット１０内の所定位置に収納する。
【００２３】
給紙カセット１０の挿入または引き出し方向（矢印ＡＡ′方向）に対し平行な側壁２５ｂ、２５ｃの外側にはガイドレール４０が付設されている。画像形成装置１００本体側にはガイドレール４０を摺動可能に支持するレール支持部（図示せず）が設けられており、ガイドレール４０をレール支持部に沿って摺動させることで、給紙カセット１０は画像形成装置１００本体に対し挿入及び引き出し可能となっている。
【００２４】
図４は、給紙カセット１０が装着された画像形成装置１００の外観斜視図である。図４では、給紙カセット１０内に大サイズ（Ａ３サイズ）の用紙が収納されており、カセットベース２５は給紙方向と平行な方向に伸長されている。そのため、カセットベース２５の後端部が画像形成装置１００本体から突出しており、カセットベース２５の突出部分は上面カバー５０で覆われている。
【００２５】
次に、カセットベース２５への上面カバー５０の取り付け方法について説明する。図５は、カセットベース２５の給紙方向上流側の両端部に形成されたアーム挿入溝４１ａ、４１ｂを示す図、図６〜図８は、カセットベース２５の一端側（図３の左側）における上面カバー５０の装着手順を示す図であり、図９、図１０は、カセットベース２５の他端側（図３の右側）における上面カバー５０の装着手順を示す図である。
【００２６】
上面カバー５０の回動端側（図４の矢印Ａ方向下流側）には、用紙幅方向両側から下向きに突出する支持アーム５１ａ、５１ｂが形成されている（図６、図９参照）。支持アーム５１ａ、５１ｂの先端には係合穴５３ａ、５３ｂが形成されている。
【００２７】
また、図５に示すように、カセットベース２５の後端部の、左右２箇所のコーナー（角部）には、それぞれ支持アーム５１ａ、５１ｂが挿入されるアーム挿入溝４１ａ、４１ｂが、側壁２５ｄの両端部から、側壁２５ｂに向けて形成されている。アーム挿入溝４１ａ、４１ｂの内壁面を構成する側壁２５ｂの端面からは、それぞれ支持アーム５１ａ、５１ｂの第１係合穴５３ａ、第２係合穴５３ｂが係合する第１ボス部４３ａ、第２ボス部４３ｂが、側壁２５ｂの端面に対向する内壁面（側壁２５ｄの端部）に向けて突出している。
【００２８】
第１ボス部４３ａ、第２ボス部４３ｂの先端部と、第１ボス部４３ａ、第２ボス部４３ｂに対向するアーム挿入溝４１ａ、４１ｂの内壁面（側壁２５ｄの両端部）との間には、それぞれ所定の隙間（ギャップ）Ｇ１、Ｇ２が形成されている。アーム挿入溝４１ａは、給紙方向上流側（図５の紙面手前側）から見てアーム挿入溝４１ｂよりも幅広に形成されている。第１ボス部４３ａは第２ボス部４３ｂよりも側壁２５ｂからの突出量が大きく、アーム挿入溝４１ａの隙間Ｇ１、アーム挿入溝４１ｂの隙間Ｇ２は等しくなっている。
【００２９】
また、上面カバー５０の支持アーム５１ａ、５１ｂの間隔は、第１ボス部４３ａ、第２ボス部４３ｂの間隔よりも広くなっている。
【００３０】
上面カバー５０を装着する場合、図６に示すように、給紙方向上流側から見て上面カバー５０の左側の支持アーム５１ａをカセットベース２５の左側のアーム挿入溝４１ａに挿入する。第１ボス部４３ａはアーム挿入溝４１ａの外側面（図６の左側面）から内向きに突出しているため、第１ボス部４３ａとアーム挿入溝４１ａの内側（図６の右側）の内壁面との隙間Ｇ１（図５参照）に支持アーム５１ａを挿入していく。
【００３１】
そして、図７に示すように、支持アーム５１ａの先端に形成された第１係合穴５３ａを第１ボス部４３ａに対向させる。さらに、図８に示すように、上面カバー５０を給紙方向上流側から見て左方向（図８の矢印方向）にスライドさせることにより、第１ボス部４３ａを支持アーム５１ａの第１係合穴５３ａに挿入する。第１係合穴５３ａは第１ボス部４３ａの先端側（図８の右端）に係合した後、上面カバー５０のスライドによって基端側（図８の左端）に移動するため、第１ボス部４３ａと第１係合穴５３ａとの係合が容易に外れなくなる。
【００３２】
次に、図９に示すように、給紙方向上流側から見て上面カバー５０の右側の支持アーム５１ｂをカセットベース２５の右側のアーム挿入溝４１ｂに挿入する。第２ボス部４３ｂはアーム挿入溝４１ｂの外側面（図９の右側面）から内向き（図９の矢印方向）に突出している。また、支持アーム５１ａ、５１ｂの間隔は、第１ボス部４３ａ、第２ボス部４３ｂの間隔よりも広いため、上面カバー５０を左側にスライドさせた状態で、且つ支持アーム５１ｂに外力を加えない状態では、支持アーム５１ｂは第２ボス部４３ｂに重なる位置に突出している。そのため、支持アーム５１ｂを内向き（図９の左方向）に撓ませながら第２ボス部４３ｂとアーム挿入溝４１ｂの内側面（図９の左側面）との隙間Ｇ２（図５参照）に挿入していく。
【００３３】
そして、図１０に示すように、支持アーム５１ｂの先端に形成された第２係合穴５３ｂを第２ボス部４３ｂに係合させる。図５に示したように、第２ボス部４３ｂは、第１ボス部４３ａに比べて短い（突出量が小さい）ため、支持アーム５１ｂを僅かに撓ませるだけで第２係合穴５３ｂを第２ボス部４３ｂに係合させることができる。その後、支持アーム５１ｂに加えていた力を除去することで、内向きに撓んでいた支持アーム５１ｂは復元力によって右方向（図１０の矢印方向）に戻る。これにより、第２係合穴５３ｂの係合位置が第２ボス部４３ｂの先端側から基端側に移動するため、第２ボス部４３ｂと第２係合穴５３ｂとの係合が容易に外れなくなる。
【００３４】
上記のようにして、カセットベース２５の後端に上面カバー５０が回動可能に取り付けられる。第１ボス部４３ａと第１係合穴５３ａとの係合部、及び第２ボス部４３ｂと第２係合穴５３ｂとの係合部は、それぞれカセットベース２５に対する上面カバー５０の第１回動支点６０、第２回動支点６１となる。上面カバー５０は、カセットベース２５に対して第１回動支点６０、第２回動支点６１を中心に回動する。
【００３５】
図１１は、図３の状態から上面カバー５０を上方向に回動して開放位置に移動させた状態を示す斜視図である。図１１に示すように、上面カバー５０を回動させてカセットベース２５の上面を開放することにより、カセットベース２５内の用紙積載板２８（図２参照）への用紙の積載を容易に行うことができる。
【００３６】
図１２及び図１３は、それぞれ上面カバー５０を開放位置に配置したときの、第１ボス部４３ａと第１係合穴５３ａとが係合した第１回動支点６０、及び第２ボス部４３ｂと第２係合穴５３ｂとが係合した第２回動支点６１の部分拡大図である。
【００３７】
図３の状態から上面カバー５０を開方向（上方向）に回動していくと、図１２に示すように、第１回動支点６０側では上面カバー５０が所定角度回動した時点で支持アーム５１ａがアーム挿入溝４１ａの下端部４１ａａ（回動規制部）に当接する。これにより、上面カバー５０の更なる回動が規制され、上面カバー５０は開放位置に保持される。
【００３８】
一方、支持アーム５１ａがアーム挿入溝４１ａの下端部４１ａａに当接したとき、図１３に示すように、第２回動支点６１では支持アーム５１ｂとアーム挿入溝４１ｂの下端部４１ｂａとの間に隙間Ｃが形成されている。即ち、上面カバー５０は支持アーム５１ａとアーム挿入溝４１ａの下端部４１ａａとの当接のみによって回動が規制されている。
【００３９】
図１４及び図１５は、それぞれ上面カバー５０を開放位置に配置したときの、第１回動支点６０及び第２回動支点６１の側面断面図である。上面カバー５０が開放位置にあるとき、上面カバー５０に開方向の力Ｆ１がさらに加えられると、図１４に示すように、支持アーム５１ａとアーム挿入溝４１ａの下端部４１ａａとの当接部が梃子の支点となり、第１回動支点６０に上向きの力Ｆ２が作用する。ここで、第１回動支点６０（作用点）と下端部４１ａａ（支点）との距離が力Ｆ１の加えられる位置（力点）と下端部４１ａａ（支点）との距離よりも短いため、第１回動支点６０に作用する力Ｆ２は力Ｆ１に比べて大きくなる。
【００４０】
しかし、前述したように第１ボス部４３ａは第２ボス部４３ｂに比べて突出量が大きいため、第１ボス部４３ａと第１係合穴５３ａとの係合裕度（第１ボス部４３ａと第１係合穴５３ａとの係合位置から第１ボス部４３ａの先端部までの距離、以下同じ）は、第２ボス部４３ｂと第２係合穴５３ｂとの係合裕度よりも大きい。そのため、第１回動支点６０に力Ｆ２が作用しても、第１ボス部４３ａと第１係合穴５３ａとの係合が外れるおそれはない。
【００４１】
また、図１５に示すように、上面カバー５０が開放位置にあるとき、支持アーム５１ｂとアーム挿入溝４１ｂの下端部４１ｂａとの間には隙間Ｃが形成され、支持アーム５１ｂと下端部４１ｂａとは当接していない。そのため、上面カバー５０に開方向の力Ｆ１が加えられたとしても、第２回動支点６１には上向きの力Ｆ２が作用しない。従って、第１ボス部４３ａと第１係合穴５３ａとの係合に比べて係合裕度が小さい第２ボス部４３ｂと第２係合穴５３ｂとの係合が外れるおそれはない。
【００４２】
本実施形態の構成によれば、係合裕度が大きい第１ボス部４３ａと第１係合穴５３ａとが係合する第１回動支点６０において上面カバー５０の回動を規制し、係合裕度が小さい第２ボス部４３ｂと第２係合穴５３ｂとが係合する第２回動支点６１には上面カバー５０を回動させようとする力が加わらない。そのため、上面カバー５０の開閉動作によるカセットベース２５からの上面カバー５０の離脱を防止することができる。
【００４３】
また、給紙カセット１０の組み立て時には、第１ボス部４３ａと第１係合穴５３ａとを係合させた後、支持アーム５１ｂを撓ませることにより第１ボス部４３ａに比べて突出量が小さい第２ボス部４３ｂと第２係合部５３ｂとを圧入することで、上面カバー５０をカセットベース２５に簡単に装着することができる。
【００４４】
その他本発明は、上記実施形態に限定されず、本発明の趣旨を逸脱しない範囲で種々の変更が可能である。例えば、上記実施形態では、第１ボス部４３ａ、第２ボス部４３ｂがアーム挿入溝４１ａ、４１ｂの外側面から内向きに突出する構成としたが、第１ボス部４３ａ、第２ボス部４３ｂがアーム挿入溝４１ａ、４１ｂの内側面から外向きに突出する構成としても良い。この場合、支持アーム５１ａ、５１ｂの間隔を第１ボス部４３ａと第２ボス部４３ｂとの間隔よりも狭くしておくことで、先ず第１ボス部４３ａと支持アーム５１ａの第１係合穴５３ａとを係合させた後、支持アーム５１ｂを外向きに撓ませて第２ボス部４３ｂと支持アーム５１ｂの第２係合穴５３ｂとを係合させることができる。
【００４５】
また、上面カバー５０の支持アーム５１ａ、５１ｂから第１ボス部４３ａ、第２ボス部４３ｂが突出し、アーム挿入溝４１ａ、４１ｂに第１係合穴５３ａ、第２係合穴５３ｂが形成される構成としても良い。或いは、支持アーム５１ａに形成された第１係合穴５３ａとアーム挿入溝４１ａから突出する第１ボス部４３ａとで第１回動支点６０が構成され、支持アーム５１ｂから突出する第２ボス部４３ｂとアーム挿入溝４１ｂに形成された第２係合穴５３ｂとで第２回動支点６１が構成されるようにしても良い。
【００４６】
また、上記実施形態では、給紙カセット１０が給紙方向と平行に挿入または引き出し可能に装着された画像形成装置１００について説明したが、給紙方向と直交する方向に引き出し可能な給紙カセットを画像形成装置本体に装着した、いわゆるフロントローディング・タイプの画像形成装置においても全く同様に適用可能である。
【００４７】
また、本発明は図１に示したようなモノクロプリンターに限らず、カラープリンター、モノクロ及びカラー複写機、デジタル複合機、或いはファクシミリ等、他のタイプの画像形成装置にも適用できるのはもちろんである。
【産業上の利用可能性】
【００４８】
本発明は、シート状の記録媒体を収納するシート収納カセットに利用可能である。本発明の利用により、上面カバーの開放方向に過度の力が加えられても上面カバーが外れるおそれのないシート収納カセット、及びそれを備えた画像形成装置を簡易な構成で提供することができる。
【符号の説明】
【００４９】
１０                給紙カセット
２５                カセットベース
２８                用紙積載板
４１ａ、４１ｂ      アーム挿入溝
４１ａａ            下端部（回動規制部）
４３ａ              第１ボス部
４３ｂ              第２ボス部
５０                上面カバー（カバー部材）
５１ａ、５１ｂ      支持アーム
５３ａ              第１係合穴
５３ｂ              第２係合穴
６０                第１回動支点
６１                第２回動支点
１００              画像形成装置
【図１】
0005976057.tif 000002
【図２】
0005976057.tif 000003
【図３】
0005976057.tif 000004
【図４】
0005976057.tif 000005
【図５】
0005976057.tif 000006
【図６】
0005976057.tif 000007
【図７】
0005976057.tif 000008
【図８】
0005976057.tif 000009
【図９】
0005976057.tif 000010
【図１０】
0005976057.tif 000011
【図１１】
0005976057.tif 000012
【図１２】
0005976057.tif 000013
【図１３】
0005976057.tif 000014
【図１４】
0005976057.tif 000015
【図１５】
0005976057.tif 000016